(57)【要約】  【課題】  登録した地点情報に関して関連性がある地点情報をまとめて設定することにより、利便性を向上することのできる地点情報提供装置を提供すること。  【解決手段】  ナビゲーション装置は、特定の地点情報が記憶されるとともに、特定の地点情報が指定されると、地点情報を表示部１４に表示する地点情報処理部１８を備え、この地点情報処理部１８は、複数の地点情報にグループ属性および情報ランクを付与することにより、１つの地点に複数存在する地点情報、または複数の地点に存在する地点情報を関連付けて記憶するようになっている。【選択図】  図１
2005221312.tif 000002
【特許請求の範囲】
【請求項１】
特定の地点情報が記憶されるとともに、特定の地点情報が指定されると、前記地点情報を表示手段に表示する地点情報処理手段を備え、
前記地点情報処理手段は、前記複数の地点情報に特定の関連情報を付与することにより、１つの地点に複数存在する前記地点情報、または複数の地点に存在する前記地点情報を関連付けて記憶することを特徴とする地点情報提供装置。
【請求項２】
前記関連情報を指定する入力手段を有し、前記地点情報処理手段は、前記関連情報が指定されると、前記地点情報に記憶されている関連情報に関連する地点情報を全て検索して取得することを特徴とする請求項１に記載の地点情報提供装置。
【請求項３】
前記関連情報として地点情報の重要度を含み、前記地点情報処理手段は、前記表示手段に前記地点情報を表示する際に、現在表示している状態と前記地点情報に含まれる重要度とに基づいて前記地点情報の表示内容を決定することを特徴とする請求項１に記載の地点情報提供装置。
【請求項４】
前記関連情報の重要度を設定する入力手段を有し、前記地点情報処理手段は、前記設定された重要度に基づいて前記地点情報の表示内容を決定することを特徴とする請求項３に記載の地点情報提供装置。
【請求項５】
前記地点情報処理手段は、前記地点情報として、概略的な内容を記述した第１の地点情報と、前記第１の地点情報の一部分をより詳細な内容を記述した第２の地点の情報とを相互に関連付けて記憶することを特徴とする請求項１乃至請求項４の何れかに記載の地点情報提供装置。
【請求項６】
前記地点情報処理手段は、地点情報には該当地点の位置に関する情報および表示対象となる方向に関する情報とを付与して記憶し、
現在位置と表示対象との距離および現在位置に対する表示対象の方位の少なくとも一方を用いて前記表示対象である前記地点情報の表示内容を決定することを特徴とする請求項１乃至請求項５の何れかに記載の地点情報提供装置。
【請求項７】
前記地点情報処理手段は、表示対象との距離と前記地点情報に記憶されている重要度に基づいて表示対象である前記地点情報の表示内容を決定することを特徴とする請求項６に記載の地点情報提供装置。
【請求項８】
前記地点情報処理手段は、前記地点情報に時間情報を付与して記憶し、現在の時刻と前記地点情報に付与された時間情報とを比較することにより、前記地点情報を表示対象とするか否かを判断することを特徴とする請求項１乃至請求項７の何れかに記載の地点情報提供装置。
【発明の詳細な説明】
【技術分野】
【０００１】
本発明は、地点情報提供装置に関し、例えば、ナビゲーション装置等に適用することができ、特定の地点情報を関連付けて記憶するとともに、複数の地点情報を分かりやすく表示することができる地点情報提供装置に関する。
【背景技術】
【０００２】
従来から地点情報提供装置として、車両や歩行者の走行に伴って移動する現在位置をディスプレイ上に道路地図と共に表示したり、現在位置から目的位置までの適切な経路を設定し、経路案内を行うナビゲーション装置が知られている。
【０００３】
このようなナビゲーション装置にあっては、特定の地点に関する情報である地点情報を、通常メモリの地点情報記録エリアに地点情報として、地点名称、位置情報（緯度経度等）、地点マークの番号等を付与して記憶するようになっており、地点情報は登録した後であっても使用者により任意に変更可能になっている。
【０００４】
ところで、従来では、地点名称を入力したり、変更したりする際にディスプレイ画面の５０音の表からタッチパネル、またはリモコン等のカーソルにより１文字毎に入力する必要があるため、手間がかかっていた。このため、地点情報の入力の簡素化を図る技術として、特許文献１または特許文献２に示すものから提案されている。
【０００５】
特許文献１に示すものには、メモリ内に地点情報格納エリアとビットマップエリアを設けるとともに、ビットマップエリアに記憶されるデータを入力するための手書き入力装置を設け、地点情報格納エリアに各特定地点毎に地点番号および緯度経度データ等の通常の地点情報の他にビットマップエリアに記憶されたデータのアドレスポインタを設け、特定地点が指定されたときに、その地点のビットマップエリアのデータによる図形または文字が表示されるナビゲーション装置が記載されている。
【０００６】
また、特許文献２に示すものには、タッチパネル部を介して文字や図形等の情報を手書きで描画する画面に切り替える描画画面切替手段と、描画画面切替手段により手書き描画画面に切り替えられた場合に、タッチパネル部を手書き描画モードに設定する描画モード設定手段と、手書き描画モードに設定された後、地図画面上でタッチされた地図座標と、地図画面上に手書きで入力された前記情報とを関連付けて記憶する記憶制御手段と、描画モード設定手段により手書き描画モードに設定されたタッチパネル部を介して入力された前記情報を他のナビゲーション装置に送信する通信制御手段とを備えたナビゲーション装置が記載されている。
【特許文献１】特開２００１−２２７９６１号公報
【特許文献２】特開２００３−１６６８４３号公報
【発明の開示】
【発明が解決しようとする課題】
【０００７】
しかしながら、特許文献１および特許文献２に示す従来のナビゲーション装置にあっては、何れも地点情報が独立の情報として記録されているため、１つの画面上で表示可能な情報量が限られてしまい、記憶したい地点情報の全てを入力することが困難であるという問題があった。
【０００８】
また、複数の地点情報を関連付けて記憶していないので、各々の地点情報を取得する場合に、利用者が全ての地点情報の内容を把握しておき、適宜表示する必要があり、操作性が悪いという問題があった。以上のことを具体的に図１４に基づいて説明する。
【０００９】
図１４は、従来のナビゲーション装置において、同一の場所に複数の地点情報を登録している場合の表示例を示すものである。図１４において、ディスプレイ１上には、地図画面が表示されており、その地図画面の上に登録されている地点情報として、○○ビル２、△△（ジム）３、□□（中華）４、××（和食）５が表示されている。
【００１０】
従来は、○○ビル２、△△（ジム）３、□□（中華）４および××（和食）５からなる地点情報は同じ建物内に存在する施設を登録したものであるため、利用者には画面上に１つの地点マークしか表示されていないように見える。また、地点名称を表示させている場合は、地点名称が重なって表示されており、何が登録されているかを判別することが困難である。さらに、○○ビル２内に登録している地点情報として、どのようなものがあるのかを把握するためには、地点情報を１つ１つ全て調べることによって、△△（ジム）３、□□（中華）４、××（和食）５をそれぞれ個別に特定していかなければならず、操作性が悪い。
【００１１】
本発明はこのような問題を解決するためになされたもので、登録した地点情報に関して関連性がある地点情報をまとめて設定することにより、利便性を向上することのできる地点情報提供装置を提供するものである。
【課題を解決するための手段】
【００１２】
本発明の地点情報提供装置は、特定の地点情報が記憶されるとともに、特定の地点情報が指定されると、前記地点情報を表示手段に表示する地点情報処理手段を備え、前記地点情報処理手段は、前記複数の地点情報に特定の関連情報を付与することにより、１つの地点に複数存在する前記地点情報、または複数の地点に存在する前記地点情報を関連付けて記憶するものから構成される。
【００１３】
この構成により、複数の地点情報を関連付けて記憶することができ、各地点情報を参照する際に関連する他の地点情報を容易に取得して、利便性を向上する。
【００１４】
また、本発明の地点情報提供装置は、前記関連情報を指定する入力手段を有し、前記地点情報処理手段は、前記関連情報が指定されると、前記地点情報に記憶されている関連情報に関連する地点情報を全て検索して取得するものから構成される。
【００１５】
この構成により、地点情報を容易に関連付けることができるとともに、関連する地点情報を容易に取得することができる。
【００１６】
また、本発明の地点情報提供装置は、前記関連情報として地点情報の重要度を含み、前記地点情報処理手段は、前記表示手段に前記地点情報を表示する際に、現在表示している状態と前記地点情報に含まれる重要度とに基づいて前記地点情報の表示内容を決定するものから構成される。
【００１７】
この構成により、地点情報の表示順位を重要度に応じて表示して見やすい画面構成とすることができる。
【００１８】
また、本発明の地点情報提供装置は、前記関連情報の重要度を設定する入力手段を有し、前記地点情報処理手段は、前記設定された重要度に基づいて前記地点情報の表示内容を決定するものから構成される。
【００１９】
この構成により、地点情報の表示順位を使用者が重要度に応じて設定することができるとともに、使用者が設定した重要度で表示して見やすい画面構成とすることができる。
【００２０】
また、本発明の地点情報提供装置は、前記地点情報処理手段は、前記地点情報として、概略的な内容を記述した第１の地点情報と、前記第１の地点情報の一部分をより詳細な内容を記述した第２の地点情報とを相互に関連付けて記憶するものから構成される。
【００２１】
この構成により、全ての情報を地点情報に記憶することが困難な場合、概略的な内容を記述した第１の地点情報と、第１の地点情報の一部分をより詳細な内容を記述した第２の地点情報とを関連付けて記憶するようにすれば、より詳細な内容を記述した多くの情報を地点情報として記憶することができる。
【００２２】
また、本発明の地点情報提供装置は、前記地点情報処理手段が、地点情報には該当地点の位置に関する情報および表示対象となる方向に関する情報とを付与して記憶し、現在位置と表示対象との距離および現在位置に対する表示対象の方位の少なくとも一方を用いて前記表示対象である前記地点情報の表示内容を決定するものから構成される。
【００２３】
この構成により、任意の地点情報を表示する際に、地点情報が記憶されている方向から表示すべきか否かを判断することができ、余分な情報を使用者に与えるのを不要にして、より分かり易い地点情報を使用者に提供することができる。
【００２４】
また、本発明の地点情報提供装置は、前記地点情報処理手段は、表示対象との距離と前記地点情報に記憶されている重要度に基づいて表示対象である地点情報の表示内容を決定するようになっている。
【００２５】
この構成により、地点情報を提供する内容を使用者が設定することができ、より分かり易い地点情報を提供することができる。
【００２６】
また、本発明の地点情報提供装置は、前記地点情報処理手段は、前記地点情報に時間情報を付与して記憶し、現在の時刻と前記地点情報に付与された時間情報とを比較することにより、前記地点情報を表示対象とするか否かを判断するものから構成される。
【００２７】
この構成により、同一の地点情報から時間によって必要な地点情報のみを容易に取得することができる。
【発明の効果】
【００２８】
以上説明したように、本発明は、複数の地点情報を関連付けて記憶することができ、各地点情報を参照する際に関連する他の地点情報を容易に取得して、利便性を向上させることができる地点情報提供装置を提供することができる。
【発明を実施するための最良の形態】
【００２９】
以下、本発明の実施の形態について、図面を用いて説明する。
【００３０】
図１乃至図７は本発明に係る地点情報提供装置の第１の実施の形態を示す図であり、地点情報提供装置として車載型のナビゲーション装置に適用した例を示している。
【００３１】
まず、構成を説明する。図１において、ナビゲーション装置は、入力部１１、現在位置演算部１２、地図データベース１３、表示部（表示手段）１４、音声出力部１５、メインコントローラ１６、主記憶メモリ（地点情報処理手段）１７、および地点情報処理部（地点情報処理手段）１８を備えている。
【００３２】
入力部１１は、リモコンやタッチパネル等から構成されており、利用者（搭乗者）が任意の地点情報等を入力するようになっている。現在位置演算部１２は自車の回転角速度を検出する角速度センサおよび自車の走行距離を検出する距離センサを含む自律航法センサと、車両の現在位置と現在方位を衛星航法で測位するＧＰＳ受信機と、自律航法センサおよびＧＰＳ受信機からの入力に基づいて自車位置を計算する自車位置計算装置とを含んで構成される。
【００３３】
地図データベース１３には地図情報としての表示用データ、探索用データ、誘導用データ、索引用データ等が記憶されている。メインコントローラ１６はＣＰＵ（Central Processing Unit)、ＲＯＭ（Read Only Memory)、ＲＡＭ（Random Access Memory)等を備えており、地図データベース１３から地図情報を読み出して液晶表示パネル等からなる表示部１４に表示するとともに、音声出力部１５から必要な情報を適宜、音声で利用者に知らせる。
【００３４】
地点情報処理部１８は、地点情報登録部１９、地点情報検索部２０および地点情報内容表示部２１を備えている。地点情報登録部１９は入力部１１から任意の地点情報が入力されると、この地点情報を主記憶メモリ１７に記憶するようになっている。
【００３５】
また、地点情報検索部２０は、主記憶メモリ１７に記憶されている地点情報を利用者が参照したい場合に、入力部１１によって参照したい地点情報のキーワードが入力されると、このキーワードに該当する地点情報を主記憶メモリ１７から抽出し、抽出した結果を表示部１４に表示するようになっている。
【００３６】
地点情報内容表示部２１は、地点情報を表示部１４に表示する際に、表示させるリストの状態、表示している地図の縮尺、自車の位置、進行方向等から判断し、表示させる地点情報の内容を変更するようになっている。
【００３７】
図２は地点情報登録部１９によって主記憶メモリ１７に記憶される地点情報のメモリ構造を示す図である。図２において、主記憶メモリ１７に記憶された地点情報は主記憶メモリ１７上でメモリ配置３１の構成をとり、地点情報記憶先頭領域から地点情報ａ、地点情報ｂ、......と順に記憶される。
【００３８】
また、利用者が任意に入力した各地点情報に関する画像情報は、画像情報α、画像情報β、......と順に記憶される。なお、画像情報と地点情報は対になっている必要はなく、画像情報は必ずしも存在しなくても良い。
【００３９】
また、地点情報ａのデータ内容は、地点名称ａ、位置情報ａ、地点マークａ、グループ属性ａ、情報ランクａ、テキスト情報ａ、画像情報αへのポインタａ等で構成されている。ここで、グループ属性ａは、各地点情報を相互に関連付けるためのデータで、施設のジャンル、存在する場所によらず利用者が任意に設定することが可能である。また、情報ランクａは、表示部１４上に任意の地点情報を表示する際に使用するデータである。
【００４０】
本実施の形態では、各地点情報ａ、ｂ......をグループ属性と情報ランク（重要度）からなる特定の関連情報を用い関連付けて地点情報登録部１９から主記憶メモリ１７に記憶しており、入力部１１から特定のグループ属性を指定すると、地点情報検索部２０が主記憶メモリ１７に記憶されているグループ属性に関連する地点情報を全て検索して取得するようになっている。
【００４１】
図３は全く同一の場所に複数の地点情報が登録されている表示部１４の表示例を示す図である。図３において、表示部１４上には、地図画面が表示されており、その地図画面の上に登録されている○○ビル３２が表示されている。
【００４２】
○○ビル３２内には、グループ属性を○○ビルとして関連付けて設定した地点情報３７が５つ存在しており、情報ランク１の地点情報として○○ビル３２が、情報ランク２の地点情報として食事３３、△△（ジム）３４が、情報ランク３の地点情報として□□（中華）３５、××（和食）３６が登録されている。
【００４３】
これら○○ビル３２に属する地点情報の中で情報ランクが最も高い○○ビル３２を代表地点として、画面上に表示している。他の地点情報を参照したい場合は、○○ビル３２からグループ属性を利用することにより、地点情報３３乃至３６を容易に取得できる。また、代表地点を情報ランクの最も低い地点情報としても同じである。なお、表示すべき情報ランクは、地点情報システムが自動的に判断する以外に、利用者が選択する構成としても良い。
【００４４】
次に、図４のフローチャートに基づいて地点情報登録部１９による地点情報登録処理を説明する。まず、利用者によって、入力部１１に設けられた地点情報登録用ボタンが押された場合、地点情報登録処理を開始し（ステップＳ1）、地点情報データ数分処理を繰り返し行う（ステップＳ2）。次いで、各データ項目を入力部１１とＨＭＩを用いて利用者が入力を行う（ステップＳ3）。
【００４５】
入力方法に関しては、入力フォームに従って作成したり、位置を地図から指定して作成したり、索引用データを参照して作成したり、あるいは手書き入力で作成したりする等の何れかの方法を用いる。
【００４６】
地点情報のデータ数が残っている場合には、次のデータを入力するためにステップＳ2に戻る（ステップＳ4）。各データの入力が終了すると、画像情報の入力を行う（ステップＳ5）。この入力された画像情報は地点情報登録部１９にビットマップ形式やＪＰＥＧ形式等の画像データとして記憶された後（ステップＳ6）、記憶した画像情報のメモリ記憶領域先頭アドレスへのポインタが取得される（ステップＳ7）。
【００４７】
次いで、取得した画像情報のポインタと、既に入力済みである地点情報を主記憶メモリ１７に記憶し（ステップＳ8）、地点情報登録処理を終了する（ステップＳ9）。
【００４８】
次に、図５のフローチャートに基づいてグループ属性の登録処理を説明する。
【００４９】
まず、グループ属性の登録処理が開始されると（ステップＳ11）、新規にグループ属性を作成するかを利用者が選択する（ステップＳ12）。ステップＳ12によって新規にグループ属性を作成する場合は、任意のグループ属性固有の名称を作成する（ステップＳ13）。ここで、グループ属性特有の地点マークを作成することも可能とする。
【００５０】
また、ステップＳ12で既存のグループ属性を利用する場合は、既に作成してあるグループ属性を取得して一覧表示した後（ステップＳ14）、一覧表示しているグループ属性の中から利用者が適切と判断した任意のグループ属性を選択する（ステップＳ15）。
【００５１】
そして、地点情報に設定するグループ属性が１つに決まったときに、該当のグループ属性を設定し（ステップＳ16）、グループ属性の登録処理を終了する（ステップＳ17）。なお、ここでは、グループ属性の登録処理について説明したが、変更処理についても同じである。
【００５２】
次に、図６のフローチャートに基づいて地点情報検索処理を説明する。
【００５３】
利用者が登録済みの地点情報を参照したい場合には、地点情報検索処理を開始する（ステップＳ21）。利用者は目的の地点情報を抽出するために適切な検索条件（キーワード）を入力部１１から入力する（ステップＳ22）。検索条件としては、通常施設情報を検索する場合と同様に、電話番号、名称、住所、ジャンルを利用したり、グループ属性、地点マーク等を利用する。
【００５４】
次いで、利用者が指定した検索条件に合う地点情報を抽出する（ステップＳ23）。地点情報検索部２０はこの抽出した地点情報のグループに属する他の地点情報を全て抽出し（ステップＳ24）、処理を終了する（ステップＳ25）。このとき、地点情報内容表示部２１は、地点情報検索処理で抽出した地点情報のデータ内容から表示する形式を決定し、表示部１４に表示する。
【００５５】
図７は地点情報を地点名称で検索した際の検索結果を表示したときの表示部１４の画面４１である。名称検索におけるキーワードを名称検索キーワード入力欄４２に入力し、検索ボタン４３を押すと、地点情報検索部２０によって上述した図６に示す地点情報検索処理が開始され、地点情報検索処理で抽出した地点情報が検索結果一覧４４に表示される。
【００５６】
また、検索結果一覧４４に表示する際には、同じグループ属性とわかるように、情報ランク１以外の地点名称はインデントして表示したり、色を変更して表示したりする等して利用者が容易に判断し易いように表示を行う。
【００５７】
このように本実施の形態では、複数の地点情報をグループ属性と情報ランクを付与することにより、１つの地点に複数存在する地点情報や複数の地点に存在する地点情報を関連付けて記憶するようにしたので、各地点情報を参照する際に関連する他の地点情報を容易に取得して、利便性を向上させることができる。
【００５８】
また、本実施の形態では、グループ属性や情報ランクを入力部１１によって指定し、グループ属性や情報ランクが指定されると、地点情報に記憶されているグループ属性や情報ランクに関連する地点情報を全て検索して取得するようにしたので、地点情報を容易に関連付けることができるとともに、関連する地点情報を容易に取得することができる。
【００５９】
また、本実施の形態では、関連情報として地点情報の情報ランクを含み、表示部１４に地点情報を表示する際に、現在表示している状態と地点情報に含まれる情報ランクとに基づいて地点情報の表示内容を決定しているので、地点情報の表示順位を使用者が情報ランクに応じて設定することができるとともに、図３に示すように使用者が設定した情報ランクで表示して見やすい画面構成とすることができる。
【００６０】
図１、図８は本発明に係る地点情報提供装置の第２の実施の形態を示す図である。本実施の形態では、地点情報登録部１９により、概略的な内容を記述した第１の地点情報と、第１の地点情報を部分的により詳細な内容を記述した第２の地点情報とに分けて作成し、同じグループ属性として相互に関連付けて主記憶メモリ１７に登録するようにしたものであり、第１の地点情報として概略的な内容を記述した○○ビルの地点情報を作成し、第２の地点情報として○○ビルを部分的により詳細な内容を記述した駐車場の地点情報を作成するものである。
【００６１】
図８は○○ビルから目的地としての駐車場まで誘導するために地点情報を利用する方法を概略的に説明するための図であり、目的地に関して全く情報がわからない人のために、あらかじめ地点情報を作成しておき、この地点情報を提供することで簡単に目的地まで誘導することができる。
【００６２】
図８において、本実施の形態では、既に地点情報として主記憶メモリ１７に○○ビル５１と駐車場５２が登録されているため、入力部１１によって目的の地点情報を抽出するために適切な検索条件を入力すると、表示部１４上には地図情報と地点情報として○○ビル５１および駐車場５２が表示される。
【００６３】
これを利用して目的の駐車場に行くことは可能だが、利用者は目的地付近の状況を全く知らない状況のため、道に迷ってしまう場合もある。そこで、○○ビル５１と駐車場５２を同じグループ属性として登録しておき、○○ビル５１には駐車場までの道案内の概要を画像情報として登録しておく。
【００６４】
ここでは、○○ビル５１は有名な施設であり、全く道を知らない人でも○○ビル５１までは容易に到達することが可能である場合を想定している。当然ながら、○○ビル５１が有名な施設でない場合は、有名な施設から○○ビル５１までの道案内情報を作成しておくことによって同様に実施可能である。したがって、○○ビル５１まで到着した利用者は○○ビル５１に関する地点情報を表示部１４に表示させれば良い。
【００６５】
○○ビル５１に関する地点情報を表示させると、○○ビル５１から駐車場５２までの道順５３乃至５７が地図情報に合成され、利用者は駐車場までの道順５３乃至５７を知ることができるので、利用者はこれを元に運転することで、容易に目的地である駐車場５２まで到達することができる。なお、ここで○○ビル５１に関する地点情報画面５８に自車位置をマッチングさせて誘導を行っても良い。
【００６６】
一方、駐車場５２に到達したら、車を駐車するスペースが何処になるのか探さなければならない。従来の地点情報提供システムでは、全ての地点情報から該当する駐車場の地点情報を探さなければならなかったが、本実施の形態では、○○ビル５１の地点情報から同じグループ属性として登録されている駐車場５２を参照することができるので、○○ビル５１に関する地点情報画面５８から駐車場５２に関する詳細な地点情報を表示部１４に表示することができる。このことにより、駐車場スペース５９のＮｏ．１４に駐車すれば良いことが容易にわかる。
【００６７】
以上のように本実施の形態では、全ての情報を地点情報に記憶することが困難な場合、概略的な内容を記述した第１の地点情報と、第１の地点情報の一部分をより詳細な内容を記述した第２の地点情報とを関連付けて記憶するようにすれば、より詳細な内容を記述した多くの情報を地点情報として記憶することができる。
【００６８】
図１、図９、図１０は本発明に係る地点情報提供装置の第３の実施の形態を示す図である。
【００６９】
本実施の形態では、地点情報登録部１９により、地点情報に該当地点の位置に関する情報および表示対象となる方向に関する情報とが付与されるようになっている。
【００７０】
また、メインコントローラ１６は現在位置演算部１２から取得した現在位置情報から表示対象までの距離を算出するとともに現在位置から表示対象までの方位を算出するようになっており、地点情報内容表示部２１はメインコントローラ１６から送信され距離情報または方位情報を用いて表示対象である地点情報の表示内容を決定するようになっている。
【００７１】
また、地点情報内容表示部２１により表示対象との距離と地点情報に記憶されている重要度に基づいて表示対象である地点情報の表示内容を決定するようにしている。なお、本実施の形態では、現在位置演算部１２およびメインコントローラ１６も地点情報処理手段を構成している。
【００７２】
次に、図９のフローチャートに基づいて通る方向によって表示内容を変更する地点情報内容表示処理を説明する。
【００７３】
表示部１４に自車位置と地点情報を表示する際に地点情報内容表示処理を開始する（ステップＳ31）。この地点情報内容表示処理では、まず、メインコントローラ１６が現在位置演算部１２から現在位置と現在方位を取得する（ステップＳ32）。
【００７４】
次いで、利用者が登録した地点情報数分だけ内容の比較を行う（ステップＳ33）。この比較は、１つ目に地点情報の登録方向と現在方向とを比較する（ステップＳ34）。ここで、地点情報の登録方向は必ずしも設定されていなくても良く、設定されていなければ全方位に対して表示対象であると判断しても良い。
【００７５】
次いで、方向の比較をした結果、表示対象であるか否かを判断する（ステップＳ35）。ステップＳ35で表示対象でないと判断した場合は、次の地点情報との比較を行う。ステップＳ35で表示対象であると判断した場合には、メインコントローラ１６により該当の地点情報の位置と現在位置から相対距離を算出する（ステップＳ36）。
【００７６】
次いで、ステップＳ36で算出した相対距離から現在の表示部１４の画面上に表示すべき情報ランクを決定し、同じグループ属性で表示対象である情報ランクで登録されている地点情報を表示する（ステップＳ37）。次いで、上記処理を登録されている地点情報数分繰り返し（ステップＳ38）、全て比較し終わったら地点情報内容表示処理を終了する（ステップＳ39）。
【００７７】
図１０は実際の表示部１４の表示画面を示す図であり、通る方向によって表示内容を変更した例を示す。なお、同図（ａ）は現在位置６２と方位から登録されている地点情報６３を表示しないものと判断したときの表示部１４の画面６１であり、同図（ｂ）は現在位置６５と方位から登録されている地点情報６６を表示すると判断したときの表示部１４の画面６４である。
【００７８】
ここで、通る方向によって表示内容を変更した理由を説明する。地点情報によっては、進入する方向によって有益な情報とそうでない情報とに分けることができ、そのような地点情報を表示する際に有効である。
【００７９】
例えば、北から進入してくると交差点付近に高い建物があるため見えないが、南から進入してくると見えるといった場合である。
【００８０】
このため、表示しないと判断したときの画面６１では、該当の地点情報を表示しない、表示するが通常表示する場合と変える、表示はするが詳細情報は表示しない等といった表示対象と判断した地点情報と変えて利用者に見せる。また、表示すると判断したときの画面６４では、該当の地点情報を通常通りに表示し、必要であれば地点情報６６の詳細情報６７を表示するようにすることが好ましい。
【００８１】
以上のように本実施の形態によれば、現在位置と地点情報とを比較して表示対象かどうかを判定し、表示対象の地点情報と非表示対象の地点情報とを区別して表示するようにしたので、任意の地点情報を表示する際に記憶されている方向から表示すべきかを判断することができ、重要な情報をより強調して利用者に提供することができる。
【００８２】
また、地点情報を提供する内容を使用者が設定することができるので、より分かり易い地点情報を提供することができる。
【００８３】
図１、図１１乃至図１３は本発明に係る地点情報提供装置の第４の実施の形態を示す図である。
【００８４】
本実施の形態では、地点情報内容表示部２１が地点情報に時間情報を付与して記憶し、現在の時刻と地点情報に付与された時間情報とを比較することにより、地点情報を表示対象とするかを判断するものである。すなわち、地点情報をスケジュールとして登録可能とし、登録したスケジュールに従って利用者へ地点情報の提供を行うものである。なお、時間情報はメインコントローラ１６に設けられた図示しない計時手段によって計時される。
【００８５】
次に、図１１のフローチャートに基づいて地点情報をスケジュールに登録する処理を説明する。
【００８６】
図１１において、まず、入力部１１のスケジュールの登録ボタンを操作すると、スケジュールの登録処理が開始され（ステップＳ41）、入力部１１から任意の地点に関する地点情報を登録するとともに地点情報に関する情報を入力する（ステップＳ42）。ここでは、スケジュールに関する情報として日付、曜日、時間等を登録する。但し、スケジュールに関する情報は必ずしも入力する必要はなく、未入力の場合はスケジュール登録の必要なしと判断しても良い。
【００８７】
次いで、ステップＳ42で入力した地点情報に関する情報の中からスケジュールに関する情報を参照し、スケジュール情報があるか否かを判別する（ステップＳ43）。ステップＳ43でスケジュール情報がなければ、地点情報を登録し、処理を終了し（ステップＳ45）、ステップＳ43でスケジュール情報があれば、主記憶メモリ１７のスケジュール一覧に登録し（ステップＳ44）、処理を終了する（ステップＳ45）。
【００８８】
次に、図１２のフローチャートに基づいて該当する地点情報を表示部１４の画面に表示する表示処理を説明する。
【００８９】
図１２において、スケジュールに何らかの地点情報が登録されている場合に表示処理を開始する（ステップＳ51）。この表示処理では、最初に現在時刻を取得した後（ステップＳ52）、スケジュール一覧を検索する（ステップＳ53）。
【００９０】
次いで、現在時刻との比較によりスケジュール一覧から表示すべき地点情報が存在するか否かを調べる（ステップＳ54）。ステップＳ54で該当する地点情報が存在しなければ、表示処理を終了し（ステップＳ56）、該当する地点情報が存在すれば、表示部１４の画面に該当する地点情報を表示して（ステップＳ55）、処理を終了する（ステップＳ56）。
【００９１】
図１３は表示処理によって表示される表示部１４の表示画面を示す図である。図１３において、例えば、１３：００時に任意の場所を表示した画面７１上には、地点情報としてレストラン７２が表示されている。これに対して、２０：００時に同じ場所を表示した画面７３上には、地点情報としてバー７４が表示されている。
【００９２】
すなわち、レストラン７２へはスケジュール情報として、１０：００時乃至１７：００時という情報が登録されているため、表示する際に現在時刻と比較し、１３：００時に表示する画面７１にはレストラン７２が表示されるが、２０：００時に表示する画面７３にはレストラン７２は表示されない。
【００９３】
また、バー７４へはスケジュール情報として、１９：００時乃至２４：００時という情報が登録されているため、表示する際の現在時刻と比較し、１３：００時に表示する画面７１にはバー７４が表示されないが、２０：００時に表示する画面７３にはバー７４が表示される。
【００９４】
このように本実施の形態では、地点情報に時間情報を付与して主記憶メモリ１７に記憶し、現在の時刻と地点情報に付与された時間情報とを比較することにより、地点情報を表示対象とするかを判断するようにしたので、同一の地点情報から時間によって必要な地点情報のみを容易に取得することできる。 
【産業上の利用可能性】
【００９５】
以上のように、本発明に係る地点情報提供装置は、複数の地点情報を関連付けて記憶することができ、各地点情報を参照する際に関連する他の地点情報を容易に取得して、利便性を向上させることができるという効果を有し、ナビゲーション装置等に適用することができ、特定の地点情報を関連付けて記憶するとともに、複数の地点情報を分かりやすく表示することができる地点情報提供装置等として有用である。
【図面の簡単な説明】
【００９６】
【図１】本発明の第１乃至第４の実施の形態の地点情報提供装置のブロック図
【図２】第１の実施の形態の地点情報のメモリ構造を示す図
【図３】第１の実施の形態の地点情報の表示例を示す図
【図４】第１の実施の形態の地点情報登録処理のフローチャート
【図５】第１の実施の形態のグループ属性の登録処理のフローチャート
【図６】第１の実施の形態の地点情報検索処理のフローチャート
【図７】第１の実施の形態の地点情報を地点名称で検索した際の検索結果の表示例
【図８】本発明の第２の実施の形態の誘導に地点情報を利用する例を示す図
【図９】本発明の第３の実施の形態の地点情報内容表示処理のフローチャート
【図１０】第３の実施の形態における通る方向によって表示内容を変更したときの表示例（ａ）地点情報を表示しないときの表示例（ｂ）地点情報を表示したときの表示例
【図１１】本発明の第４の実施の形態の地点情報をスケジュールに登録する処理を示すフローチャート
【図１２】第４の実施の形態のスケジュールから該当する地点情報を表示する処理を示すフローチャート
【図１３】第４の実施の形態の時間によって表示する地点情報を変更したときの表示例
【図１４】従来の地点情報提供装置の概要図
【符号の説明】
【００９７】
１２  現在位置演算部（地点情報処理手段）
１４  表示部（表示手段）
１６  メインコントローラ（地点情報処理手段）
１７  主記憶メモリ（地点情報処理手段）
１８  地点情報処理部（地点情報処理手段）
【図１】
2005221312.tif 000003
【図２】
2005221312.tif 000004
【図３】
2005221312.tif 000005
【図４】
2005221312.tif 000006
【図５】
2005221312.tif 000007
【図６】
2005221312.tif 000008
【図７】
2005221312.tif 000009
【図８】
2005221312.tif 000010
【図９】
2005221312.tif 000011
【図１０】
2005221312.tif 000012
【図１１】
2005221312.tif 000013
【図１２】
2005221312.tif 000014
【図１３】
2005221312.tif 000015
【図１４】
2005221312.tif 000016